(57)【要約】  メタルハライドアークランプに関する保護アーク管取り付けアセンブリは、放電持続充填材を有する放電空間42及び放電空間42の両端部における放電電極43,44を有する溶融水晶アーク管41と、溶融水晶保護シュラウド49と、始動回路63に接続される放電電極44のうちの一つに隣接する始動電極61と、を含む。アーク管41は、第１支持部材56に接続されるリードスルー47によって上方から吊るされ、また第２支持部材57に接続される別のリードスルー48によって下方から支持される。更なる支持が、始動回路63を介して第１支持部材56によってアーク管41に提供される。シュラウド49は、第１支持部材56に装着される取り付けクリップの対67,68によって支持される。
2009514162.tif 000002
【特許請求の範囲】
【請求項１】
メタルハライドアークランプに関する保護アーク管取り付けアセンブリであって、当該アセンブリが、
アーク放電を持続することが可能である充填材を含む放電空間を密閉するアーク管と、
前記放電空間の両端部において配設される第１及び第２放電電極と、
前記第１放電電極に電気的に接続される第１リードスルー及び前記第２放電電極に電気的に接続される第２リードスルーであって、気密であるようにして前記アーク管の両端部から通出する、第１リードスルー及び第２リードスルーと、
前記アーク管を取り囲む保護シュラウドと、
前記シュラウドの１つの側部に隣接して位置され、シュラウドの上方及び下方に延在する第１電気伝導支持部材であって、前記第１リードスルーに電気的に接続される第１電気伝導支持部材と、
前記シュラウドの下方に延在し、第１電気伝導支持部材から離れて配置される第２電気伝導支持部材であって、前記第２リードスルーに電気的に接続される第２電気伝導支持部材と、
前記シュラウドの両端部に取り付けられ、前記第１電気伝導支持部材へ装着される少なくとも第１及び第２取り付けクリップと、
を備える、保護アーク管取り付けアセンブリ。
【請求項２】
請求項１に記載の保護アーク管取り付けアセンブリであって、当該アセンブリが、追加的に、
放電空間において前記第２放電電極に隣接して位置される始動電極と、
前記始動電極に電気的に接続され、且つ気密であるようにして前記アーク管から通出する第３リードスルーと、
前記第３リードスルー及び前記第１支持部材に電気的に接続される始動回路と、
を備える、保護アーク管取り付けアセンブリ。
【請求項３】
請求項１に記載の保護アーク管取り付けアセンブリであって、前記第１支持部材が、上部支持ロッド、主支持ロッド、及び下部支持ロッド、を含む、保護アーク管取り付けアセンブリ。
【請求項４】
請求項３に記載の保護アーク管取り付けアセンブリであって、前記第１支持部材の前記上部支持ロッドが、ランプエンベロープへの装着に関して適合される上端部、及び下端部を有し、前記主支持ロッドが、前記上部支持ロッドの前記下端部に装着される上端部、及び下端部を有し、前記下部支持ロッドが、前記主支持ロッドの前記下端部に装着される上端部、及び下端部を有する、保護アーク管取り付けアセンブリ。
【請求項５】
請求項１に記載の保護アーク管取り付けアセンブリであって、前記第２支持部材が、上部支持ロッド、及び前記上部支持ロッドに装着される下部支持ロッド、を含む、保護アーク管取り付けアセンブリ。
【請求項６】
請求項４に記載の保護アーク管取り付けアセンブリであって、前記始動回路が、前記主支持ロッドに電気的に接続される、保護アーク管取り付けアセンブリ。
【請求項７】
請求項１に記載の保護アーク管取り付けアセンブリであって、前記アーク管が、第１及び第２エッジ部をそれぞれ有する第１及び第２圧力シールによって、前記端部において密封される溶融水晶管を含む、保護アーク管取り付けアセンブリ。
【請求項８】
請求項７に記載の保護アーク管取り付けアセンブリであって、前記保護シュラウドが、外側表面、内側表面、及び端部壁、を有する溶融水晶管を含む、保護アーク管取り付けアセンブリ。
【請求項９】
請求項８に記載の保護アーク管取り付けアセンブリであって、少なくとも前記第２取り付けクリップが、
前記シュラウドの前記端部壁との接触をなすためのベッドであって、外側エッジ及び内側エッジを有するベッドと、
前記シュラウドの前記外側表面との接触をなすための、前記ベッドの前記外側エッジから直立する少なくとも１つの外側クリップと、
前記シュラウドの前記内部表面との接触をなすための、前記ベッドの前記内側エッジから直立する内側クリップあって、中央直立ポスト、少なくとも１つの側面延在アーム、及び少なくとも１つの終端部球状接触部材、を含む内側クリップと、
前記第１支持部材への装着に関する前記ベッドの外側エッジから下方向へ延在するブラケットであって、下方向に延在するタブ及び前記タブに直角に延在する羽を有するブラケットと、
を有する、保護アーク管取り付けアセンブリ。
【請求項１０】
請求項９に記載の保護アーク管取り付けアセンブリであって、前記ベッドが、当該ベッドの長さに沿った湾曲と、前記シュラウドの前記端部壁の湾曲及び幅のそれぞれに一致する幅と、を有する、保護アーク管取り付けアセンブリ。
【請求項１１】
請求項９に記載の保護アーク管取り付けアセンブリであって、前記ベッドの前記外側エッジに面する前記球状接触部材の表面が、前記シュラウドの前記内部表面との最小の接触を提供するように、凸状である、保護アーク管取り付けアセンブリ。
【請求項１２】
請求項９に記載の保護アーク管取り付けアセンブリであって、前記アーク管は、前記アーク管の前記圧力シールの前記第１エッジが、前記第１支持部材に隣接するように、取り付けられ、前記取り付けクリップが、前記圧力シールの前記エッジに隣接して前記シュラウドに取り付けられ、これにより、前記側面延在アームが、前記シュラウドの前記内側表面と前記圧力シールの前記隣接するエッジとの間の接触を防ぐようにされる、保護アーク管取り付けアセンブリ。
【請求項１３】
請求項１２に記載の保護アーク管取り付けアセンブリであって、前記第１取り付けクリップが、前記第２取り付けクリップと同一の構造を有し、前記第１取り付けクリップが、前記圧力シールの前記エッジに隣接して前記シュラウドに取り付けられ、これにより、前記取り付けクリップが、前記シュラウドの前記内側表面と前記圧力シールの前記隣接するエッジとの間の接触を防ぐようにされる、保護アーク管取り付けアセンブリ。
【請求項１４】
請求項１３に記載の保護アーク管取り付けアセンブリであって、前記第１及び第２取り付けクリップが、それぞれ、球状接触部材において終端する第１及び第２側面延在アームを有する、保護アーク管取り付けアセンブリ。
【請求項１５】
請求項１４に記載の保護アーク管取り付けアセンブリであって、前記第１及び第２取り付けクリップが、スプリング材料の単一のシートからそれぞれ加工される、保護アーク管取り付けアセンブリ。
【請求項１６】
メタルハライドアークランプであって、
内向突出ディンプルを含むドーム型端部と第３圧力シールにおいて終端する内向突出ランプステムを含むベース端部とを有する外側エンベロープと、
前記外側エンベロープの前記ベース端部へ装着されるねじ込み口金と、
前記ねじ込み口金に電気的に接続され、前記第３圧力シールを介して通ずる第４及び第５リードスルーと、
請求項１に記載の保護アーク管取り付けアセンブリと、
を含む、メタルハライドアークランプであり、
前記第１支持部材は、１つの端部において前記ディンプルへ、またもう１つの端部において前記第５リードスルーへ、装着され、前記第２支持部材は、１つの端部において前記第２リードスルーへ電気的に接続され、もう１つの端部において前記第４リードスルーへ電気的に接続される、メタルハライドアークランプ。
【発明の詳細な説明】
【技術分野】
【０００１】
本発明は、メタルハライドアークランプに関し、より具体的にはメタルハライドアークランプに関する改善された保護アーク管取り付けアセンブリに関し、またこのような改善されたアセンブリを組み込むメタルハライドランプにも関する。
【背景技術】
【０００２】
中型ワット量（175Wから400W)のメタルハライドアークランプは、圧力シールによって両端部で通常密封される石英ガラス（溶融石英）のアーク管を有する。伝導性リードスルーは、気密であるようにして圧力シールを通じて、放電導管において配設される放電電極の対へ延在する。アーク管は、通常保護石英ガラスシュラウドによって通常囲まれる。アーク管及びシュラウドは、半球状端部及びベース端部を有する外側ガラスエンベロープにおいて密閉される。エンベロープは、内向きに突出しているランプステムによってベース端部において密封される。
【０００３】
アーク管は、金属サポート構造によってシュラウドにおいて支持され、そしてシュラウドは、金属支持ロッドのフレームによってガラスエンベロープにおいて支持され、この金属支持ロッドのフレームは、ベース端部におけるランプステムからエンベロープの半球状端部において内向突出ディンプルへと延在する。
【０００４】
このようなメタルハライドアークランプの一つの例は、図1に示され、ここでは、通常溶融水晶からなるアーク管１は、アーク放電を持続することが可能である充填材を含む放電空間２を取り囲む。放電空間２は、圧力シール３及び４を用いて密封される。放電電極５及び６の対は、放電空間２の両端部に配設され、圧力シール４３及び４４へ部分的に延在し、ここでは、放電電極５及び６の対は、伝導性リードスルー４７及び４８へ電気的に接続され、この伝導性リードスルー４７及び４８は、気密であるようにして圧力シールの外側へ延在する。
【０００５】
アーク管１を取り囲むのは、同様に溶融石英からなる円筒形保護シュラウド９である。シュラウド９を取り囲むのは、らせん状に包まれるワイヤ１０であり、フィールドワイヤとして作用するのと同様に、ランプ故障の場合における追加的な保護を提供する。
【０００６】
アーク管１は、金属支持クリップ１１及び１２によってシュラウド９において支持され、これらのうちの１つが図４において斜視図で示される。クリップ１２は、圧力シール１４の端部において適合するサドル形状部分１３、並びにシュラウド９の端部壁の両端部において適合する終端部分１５及び１６、を有する。終端部分１５及び１６は、シュラウド９の端部壁と同様に、ベッド１５Ａ及び１６Ａを有する。クリップ１５及び１６は、シュラウド９の外側表面に接触する直立ポスト１５Ｂ及び１６Ａを有する。ポスト１６Ｂは、シュラウド９の外側表面を囲んで包む、側面延在アーム１７Ａ及び１７Ｂを支持する。
【０００７】
外側ガラスエンベロープ１９は、アーク管１及び保護シュラウド９を密閉し、内向突出ディンプル２１を有するドーム型端部２０と、圧力シール２４によって密封される内向突出ランプステム２３を有するベース端部２２と、を有する。金属フレーム２５は、ディンプル２１を取り囲んで包み、シュラウド９の両端部にそって下方向に、そしてベース部２２へとそれぞれ延在する２つのアーム２５Ａ及び２５Ｂを有し、ここでは２つのアーム２５Ａ及び２５Ｂは、ストラップ２６によってランプステム２３へと固締される。シュラウド９は、フレーム２５及びらせん状支持ワイヤ１０の両方へ装着される、金属支持部１１及び１２を介してフレーム２５によって支持される。
【０００８】
始動電極２７は、放電電極６に隣接して放電空間２へ延在し、リードスルー２９を通じて始動回路２８へ接続される。放電電極６への電源は、リードスルー３１並びにロッド３２及び３３を通じて、ねじ込み口金３０によって提供される。放電電極５及び始動電極２７への電源も、リードスルー３４並びに支持ロッド３５及びフィールドワイヤ３６を通じて、ねじ込み口金３０によって提供される。
【０００９】
このランプは、かなりの量の金属部分を有する。これらの部分は、業界において一般的である出荷前３０インチ落下テスト規準を合格するのに十分剛性のある支持構造を提供するのに必要であると考えられている。しかし、これらの金属部分は、製造過程の複雑性を増加させ、コストの増加に導くことになる。
【００１０】
更に、例えばらせん状支持ワイヤ１０及び２つの軸延在支持ロッドのフレーム２５などの、アーク管１の近傍にある金属部分は、アーク管からの直接の紫外線放射による励起における光電子の放射によってランプ性能に影響を及ぼし得る。このような光電子は、アーク管壁を通じた拡散によるナトリウムの損失に繋がる悪影響な空間放電を発生させる。このようなナトリウム損失は、充填材の化学的組成を変更させ、ランプのスペクトル出力における不所望な変化を導くことになる。更に、アーク管の近傍ではない他の金属部分は、外側のエンベロープの内側表面から反射される紫外線放射によって励起される場合、光電子のかなりの量の供給源でもあり得る。この点に関しては、2004年6月26日公開の国際特許出願公開公報第2005/001886号を参照されたい。
【発明の開示】
【発明が解決しようとする課題】
【００１１】
本発明の目的は、コストを増加させるだけでなく、ナトリウム拡散へ寄与することによりランプの光電子特性に悪影響をももたらす金属部分を低減する中型ワット量メタルハライドランプを提供することである。
【００１２】
本発明の別の目的は、出荷及び加工を乗り切り、ランプ製造において慣習的な標準落下検査を確実に合格し得る、このようなランプを提供することである。
【課題を解決するための手段】
【００１３】
本発明の一つの態様に従うと、放電持続充填材を有する放電空間及び放電空間の両端部における放電電極を有するアーク管と、保護シュラウドと、を含む、メタルハライドアークランプに関する保護アーク管取り付けアセンブリが提供される。アーク管は、第１支持部材に接続されるリードスルーによって上方から吊るされ、また第２支持部材に接続される別のリードスルーによって下方から支持される。好ましくは、更なる支持が、第１支持部材によって下方から、放電電極のうちの１つに隣接して放電空間において位置される始動電極に接続されるリードスルー及び始動回路を介して、アーク管に提供される。シュラウドは、シュラウドの上部及び下部端部並びに第１支持部材に装着される取り付けクリップの対によって支持される。
【００１４】
本発明の一つの実施例に従うと、メタルハライドアークランプに関する保護アーク管取り付けアセンブリであって、当該アセンブリが、
アーク放電を持続することが可能である充填材を含む放電空間を取り囲むアーク管と、
前記放電空間の両端部において配設される第１及び第２放電電極と、
前記第１放電電極に電気的に接続される第１リードスルー及び前記第２放電電極に電気的に接続される第２リードスルーであって、気密であるようにして前記アーク管の両端部から通出する、第１リードスルー及び第２リードスルーと、
前記アーク管を取り囲む保護シュラウドと、
前記シュラウドの１つの側部に隣接し、シュラウドの上方及び下方に延在するように位置される第１電気伝導支持部材であって、前記第１リードスルーに電気的に接続される第１電気伝導支持部材と、
前記シュラウドの下方に延在し、第１電気伝導支持部材から離れて配置される第２電気伝導支持部材であって、前記第２リードスルーに電気的に接続される第２の、電気伝導支持部材と、
前記シュラウドの両端部に取り付けられ、前記第１電気伝導支持部材へ装着される少なくとも第１及び第２取り付けクリップと、
を備える、保護アーク管取り付けアセンブリが提供される。
【００１５】
本発明の好ましい実施例に従うと、当該アセンブリは、追加的に、
放電空間において前記第２放電電極に隣接して位置される始動電極と、
前記始動電極に電気的に接続され、且つ気密であるようにして前記アーク管から通出する第３リードスルーと、
前記第３リードスルー及び前記第１支持部材に電気的に接続される始動回路と、
を備える。
【００１６】
本発明の別の好ましい実施例に従うと、前記第１支持部材が、上部支持ロッド、前記上部支持ロッドへ電気的に接続される主支持ロッド、及び前記主支持ロッドへ電気的に接続される下部支持ロッド、を含む。前記上部支持ロッドが、ランプエンベロープへの装着に関して適合される上端部を有する。前記第２支持部材が、互いに電気的に接続される、上部支持ロッド及び下部支持ロッド、を含む。
【００１７】
本発明の別の好ましい実施例に従うと、取り付けクリップのうちの少なくとも１つが、
前記シュラウドの前記端部壁との接触をなすためのベッドであって、外側エッジ及び内側エッジを有するベッドと、
前記シュラウドの前記外側表面との接触をなすための、前記ベッドの外側エッジから直立する少なくとも１つの外側クリップと、
前記シュラウドの前記内側表面との接触をなすための、前記ベッドの内側エッジから直立する内側クリップあって、中央直立ポスト、少なくとも１つの側面延在アーム、及び前記シュラウドの前記内側表面との接触をなすための少なくとも１つの終端部球状部材、を含む内側クリップと、
前記第１支持部材への装着に関する前記ベッドの外側エッジから下方向へ延在するブラケットであって、下方向に延在するタブ及び前記タブに直角に延在する羽を有するブラケットと、
を有する。
【００１８】
前記ベッドは、好ましくは、当該ベッドの長さに沿った湾曲と、シュラウドの端部壁の湾曲及び幅に一致する幅と、を有する。好ましくは、前記ベッドの前記外側エッジに面する前記球状接触部材の表面が、前記シュラウドの前記内側表面との最小の接触を提供するように、凸状である。
【００１９】
好ましくは、アーク管は、前記アーク管の圧力シールのエッジが、第１支持部材に隣接するように、取り付けられ、前記取り付けクリップの少なくとも１つが、前記シュラウドに取り付けられ、これにより、前記側面延在アームの少なくとも１つが、前記シュラウドの前記内側表面と前記圧力シールの前記隣接するエッジとの間の接触を防ぐようにされる。
【００２０】
好ましくは、取り付けクリップが、同一の構造を有し、スプリング材料の単一のシートからそれぞれ加工される。
【００２１】
本発明の別の態様に従うと、本発明の保護アーク管取り付けアセンブリは、メタルハライドアークランプであって、
内向突出ディンプルを有するドーム型端部と第３圧力シールにおいて終端する内向突出ランプステムを有するベース端部とを有する外側エンベロープと、
前記外側エンベロープの前記ベース端部へ装着されるねじ込み口金と、
前記ねじ込み口金に電気的に接続され、前記ランプステムの圧力シールを介して通ずる第５リードスルーの対と、
を含むメタルハライドアークランプを具備される。前記取り付けアセンブリの第１支持部材は、ランプエンベロープの１つの端部において前記ディンプルへ、またもう１つの端部において前記ランプリードスルーのうちの１つへ、装着され、小さいほうの支持部材は、前記１つの端部において前記第２アーク管リードスルーへ電気的に接続され、前記もう１つの端部において前記もう１つのリードスルーへ電気的に接続される。
【００２２】
本発明のこれら及び他の態様は、図面を参照にして更に説明される。
【００２３】
図面は概略的であり、寸法通りに描画されていない。同一の参照符号は、異なる図面において同様の部分を参照する。
【発明を実施するための最良の形態】
【００２４】
ここで、図２を参照すると、改善された保護アーク管取り付けアセンブリを有する、本発明のメタルハライドランプ４０の一つの実施例が示される。通常溶融水晶からなるアーク管４１は、アーク放電を持続させることが可能である充填材を含む放電空間４２を密閉する。放電空間４２は、エッジ４３Ａ及び４３Ｂ並びに４４Ａ及び４４Ｂのそれぞれを有する、圧力シール４３及び４４を用いて密封される。放電電極４５及び４６の対は、放電空間４２の両端部に配設され、圧力シール４３及び４４へ部分的に延在し、ここでは、この放電電極４５及び４６の対は、伝導性リードスルー４７及び４８へ電気的に接続され、この伝導性リードスルー４７及び４８は、気密であるようにして圧力シールの外側へ延在する。
【００２５】
アーク管４１を取り囲むのは、外側表面４９Ａ、内側表面４９Ｂ、及び端部表面４９Ｃを有する、同様に溶融石英からなる円筒形保護シュラウド４９である。アーク管４１及び保護シュラウド４９を取り囲むのは、外側ガラスエンベロープ５０であり、この外側ガラスエンベロープ５０は、内向突出ディンプル５２を有するドーム型端部５１、及び圧力シール５５によって密封される内向突出ランプステム５４を有するベース端部５３と、を有する。
【００２６】
保護アーク管に関する電気伝導性支持構造は、第１金属支持部材５６及び第２の小さいほうの金属支持部材５７からなる。第１支持部材５６は、ディンプル５２の周囲の一つの端部を包むことによってランプエンベロープ５０へ装着される上部支持ロッド５６Ａから構成される。他方の端部は、シュラウド４９の上部の上方の位置へ向けて下方向へ延在し、この場所で、この端部は、主支持ロッド５６Bに電気的に接続され、この主支持ロッド５６Ｂは、１つの端部においてリードスルー４７へ電気的に接続され、またこの他方の端部は、シュラウド４９の側部に沿って下方向へ圧力シール５５の上部の上方へむけて延在し、そこでは、他方の端部は、圧力シール５５へ延在し圧力シール５５によって固締される下部支持ロッド５６Ｃへ接続される。小さいほうの支持部材５７は、下部支持ロッド５７Ｂからなり、下部支持ロッド５７Ｂの下部端部も圧力シール５５によって固締され、下部支持ロッド５７Ｂの上部端部は、シュラウド４９の底部の下方の位置へと上側へ延在する上部支持ロッド５７Ａへ電気的に接続され、そこでは、上部支持ロッド５７Ａは、リードスルー４８に電気的に接続される。
【００２７】
始動電極６１は、放電電極４６に隣接して放電空間４２へ延在し、リードスルー６２を通じて始動回路６３へ接続される。放電電極４６への電源は、リードスルー６５、支持ロッド５９、フレーム部材６０、及びリードスルー４８を通じて、ねじ込み口金６４によって提供される。（リードスルー６２及び始動回路６３を通じた）放電電極４５及び始動電極６１への電源も、リードスルー６６、支持ロッド５８、及びフレーム部材６０を通じて、ねじ込み口金６４によって提供される。
【００２８】
シュラウド４９は、上部及び下部取り付けクリップ６７及び６８によって適所に固締され（図３においてより明確に示される）、これらのクリップは、シュラウド４９の上部及び下部エッジを挟み、主フレーム部材５７に装着される。取り付けクリップ６７及び６８の内側部分は、アーク管４１の圧力シール４３及び４４とシュラウド４９との間の接触を防ぐようために、シュラウド４９へ短距離だけ延在する。
【００２９】
アーク管４１は、シュラウド４９によって支持されないが、主フレーム部材５７の上部端部に装着されるリードスルー４７によって、このシュラウド４９において単に吊らされ、また始動回路６３を介してフレーム部材６０及びフレーム部材５７に装着されるリードスルー４８及び６２によって下方から、それぞれ支持される。
【００３０】
説明されてきた従来技術のランプの要素は、らせん状巻きワイヤ１０と、サドル形状部分１３及び１４並びに端末クリップ１５、１６、１７及び１８を含む金属支持部１１及び１２と、フレーム２５と、ストラップ２６と、を含む。
【００３１】
図３は、ベッド１０１と、ベッド１０１の外側エッジ１０１Ａから直立する外側クリップ１０２及び１０３と、ベッド１０１の内側エッジ１０１Ｂから直立する内側クリップ１０４と、を含む下部取り付けクリップの斜視図である。内側クリップ１０４は、中央直立ポスト１０５、側面延在アーム１０６Ａ及び１０６Ｂ、並びに終端部球状部材１０７及び１０８、を含む。ベッド１０１の外側エッジ１０１Ａから下方向に延在するのは、タブ１０９Ａ及びタブ１０９Ａに直角に延在する羽１０９Ｂを有するブラケット１０９である。ベッド１０１は、当該ベッドの長さに沿った湾曲と、シュラウド４９の壁／表面の湾曲及び幅のそれぞれに一致する幅と、を有し、これにより、クリップ６８は、壁に対向する主フレーム部材５７のエッジへ摺動され、そしてブラケット１０９のタブ１０９Ａ及び羽１０９Ｂを主フレーム部材５７へ、例えばスポット溶接などによって、装着することによって適所に固締され得る。ベッド１０１の外側エッジ１０１Ａに面する接触部材１０７の表面は、シュラウド４９の内側表面との最小の接触を提供するように、凸状である。アーク管４１は、主フレーム部材５７が圧力シール４３及び４４のエッジに隣接してシュラウド４９に沿って延在するように取り付けられる。この位置において、アーム１０６Ａ及び１０６Ｂは、シュラウド４９の内側表面と圧力シール４３及び４４との間の接触を防ぐ。
【００３２】
上部取り付けクリップ６７は、下部取り付けクリップ６８と同一の構造であり得る、またこのクリップは、スプリングスチールなどの、適したシート材料の一片を、スタンプする、曲げる、及び形成することなどによって、直ちに加工され得ることを理解される。
【００３３】
本発明は、必然的に限られた数の実施例を用いて説明されてきた。この説明から、他の実施例及び実施例の変更態様は、当業者にとって明らかになり、本発明の範囲及び添付の請求項内において完全に含まれるように意図される。
【図面の簡単な説明】
【００３４】
【図１】図１は、保護アーク管を有する従来技術のメタルハライドアークランプを示す。
【図２】図２は、本発明の保護アーク管を有するメタルハライドアークランプの一つの実施例を示す。
【図３】図３は、本発明のアーク管取り付けアセンブリにおいて用いるのに適した取り付けクリップの一つの実施例の斜視図である。
【図４】図４は、本発明のメタルハライドアークランプに関するアーク管取り付けアセンブリの別の実施例を示す。
【図１】
2009514162.tif 000003
【図２】
2009514162.tif 000004
【図３】
2009514162.tif 000005
【図４】
2009514162.tif 000006
【国際調査報告】
2009514162.tif 000007
2009514162.tif 000008
2009514162.tif 000009